(57)【要約】      （修正有）【課題】容易に装着が可能であると共に、装着感が良好で、胎児の成長に伴って腹部の膨出位置が変化した場合であっても適切に腹部を支持し、且つ電化製品等から発生する電磁波から体内の胎児を保護しうる妊婦帯を提供する。【解決手段】電磁波を吸収しうる繊維体から成る布体から形成され、膨出した腹部を被覆しうる腹部保護部１２と、上記腹部保護部の両端に一端部が連設され、他端部は腰部において着脱可能に互いに接続されることで、上記腹部保護部を固定しうる帯部１３とを有し、上記腹部保護部には、膨出した下腹部の重量を支持しうる、伸縮性を有する支持帯部１４が配設された構成とする。【選択図】図３
0003142197.tif 000002
【実用新案登録請求の範囲】
【請求項１】
妊婦の腹部に巻装し、膨出した腹部の重量を支えるともに、外部の衝撃から腹部を保護しうる妊婦帯であって、
電磁波を吸収しうる繊維体から成る布体から形成され、膨出した腹部を被覆しうる腹部保護部と、
上記腹部保護部の両端に一端部が連設され、他端部は腰部において着脱可能に互いに接続されることで、上記腹部保護部を固定しうる帯部とを有し、
上記腹部保護部には、膨出した下腹部の重量を支持しうる、伸縮性を有する支持帯部が配設されていることを特徴とする妊婦帯。
【請求項２】
上記腹部保護部は横長略楕円形に形成されると共に、
上記帯部は上記腹部保護部の長軸両端に一端部が連設され、
上記支持帯部は、所定の幅寸法と長さ寸法を有すると共に、上記腹部保護部の一方面上において、長軸の下側円弧部の周縁部に沿って配設されていることを特徴とする請求項１記載の妊婦帯。
【請求項３】
上記支持帯部は長さ方向に伸縮自在であると共に、幅方向には伸縮しないことを特徴とする請求項２記載の妊婦帯
【請求項４】
上記帯部の他方端には一対の面ファスナーが設けられていることを特徴とする請求項１または２記載の妊婦帯
【考案の詳細な説明】
【技術分野】
【０００１】
本考案は、妊娠時に装着し、膨出した腹部を保護すると共に、胎児の成長に伴って次第に増加する腹部の重量を支持しうる妊婦帯に関する。
【背景技術】
【０００２】
従来、妊娠後所定の月数が経過して腹部が膨出した場合には、長尺のさらし布等で形成された腹帯を巻装し、膨出した腹部を固定すると共に、外部の衝撃から腹部を保護していた。
【０００３】
しかしながら、長尺のさらし布を腹部に巻装して固定する作業は非常に煩わしい。
また、さらし布は伸縮性に乏しいことから、胎児の成長に伴って腹部の膨出が大きくなると、返って腹部が締め付けられて苦痛が伴い装着感が悪くなるという不具合を有していた。
また、妊娠中期までは腹部の中央部が膨出する傾向があり、妊娠後期から臨月近くになると、胎児の重みによって下腹部付近がより膨出する傾向があるが、
従来の腹帯は、腹部全体を均一に締め付けるため、膨出箇所の変化に応じて適切に腹部を支持することができなかった。
【０００４】
また、昨今においては、電子レンジや電磁調理器、携帯電話等、強い電磁波を発生する製品が数多く流通し、その多くが一般の家庭や職場にも存在している。
上記電磁波は人間の体内を容易に透過しうるため、これらの製品から発生する電磁波が胎児に与える影響が問題視されている。
しかしながら、従来の腹帯では上記電磁波を遮断できないため、体内の胎児が電化製品の電磁波に直接さらされるという危険性を有していた。
【考案の開示】
【考案が解決しようとする課題】
【０００５】
そこで本考案の技術的課題は、膨出した腹部の固定と、外部の衝撃からの保護という腹帯の本来の機能を有しつつ、容易に装着が可能であると共に、装着感が良好で、胎児の成長に伴って腹部の膨出位置が変化した場合であっても適切に腹部を支持し、且つ電化製品等から発生する電磁波から体内の胎児を保護しうる妊婦帯を提供することにある。
【課題を解決するための手段】
【０００６】
上記課題を解決するために、請求項１記載の考案にあっては、妊婦の腹部に巻装し、膨出した腹部の重量を支えるともに、外部の衝撃から腹部を保護しうる妊婦帯であって、電磁波を吸収しうる繊維体から成る布体から形成され、膨出した腹部を被覆しうる腹部保護部と、上記腹部保護部の両端に一端部が連設され、他端部は腰部において着脱可能に互いに接続されることで、上記腹部保護部を固定しうる帯部とを有し、上記腹部保護部には、膨出した下腹部の重量を支持しうる、伸縮性を有する支持帯部が配設されていることを特徴とする。
【０００７】
従って、帯部を腰部で接続することで容易装着が可能であり、且つ妊娠経過によって腹部の膨出が大きくなった場合は、上記支持帯部が伸縮することによって膨出箇所を柔軟に支持する。
更に、電化製品から発せられる電磁波は、上記繊維体によって吸収され、体内の胎児には到達せずに遮断される。
【０００８】
また、請求項２記載の考案にあっては、上記腹部保護部は横長略楕円形に形成されると共に、上記帯部は上記腹部保護部の長軸両端に一端部が連設され、上記支持帯部は、所定の幅寸法と長さ寸法を有すると共に、上記腹部保護部の一方面上において、長軸の下側円弧部の周縁部に沿って配設されていることを特徴とする。
【０００９】
従って、請求項１の作用に加え、腹部の膨出場所が下腹部に移動した場合であっても、上記支持帯部が膨出した下腹部の重量を下方から柔軟に支持する。
【００１０】
また、請求項３記載の考案にあっては、上記支持帯部は長さ方向に伸縮自在であると共に、幅方向には伸縮しないことを特徴とする。
【００１１】
従って、請求項２の作用に加え、腹部上部から中央部にかけてを適度に固定しつつ、下腹部の膨出に対しては延伸によって柔軟に支持する。
【００１２】
また、請求項４記載の考案にあっては、上記帯部の他方端には一対の面ファスナーが設けられていることを特徴とする。
【００１３】
従って、妊婦帯の着脱を、面ファスナーによって行うことが可能となると共に、面ファスナーの貼り付け位置を変更することで、妊婦帯の締め付け強度を調整することができる。
【考案の効果】
【００１４】
請求項１記載の考案にあっては、妊婦の腹部に巻装し、膨出した腹部の重量を支えるともに、外部の衝撃から腹部を保護しうる妊婦帯であって、電磁波を吸収しうる繊維体から成る布体から形成され、膨出した腹部を被覆しうる腹部保護部と、上記腹部保護部の両端に一端部が連設され、他端部は腰部において着脱可能に互いに接続されることで、上記腹部保護部を固定しうる帯部とを有し、上記腹部保護部には、膨出した下腹部の重量を支持しうる、伸縮性を有する支持帯部が配設されていることから、帯部を接続することで容易に装着が可能であると共に、胎児の成長に伴って腹部の膨出位置が変化した場合であっても、上記支持部が適度に延伸し、柔軟に腹部が支持されるため、装着感が良好であり、且つ電化製品等から発生する電磁波から体内の胎児を保護しうる妊婦帯を提供することができる。
【００１５】
また、請求項２記載の考案にあっては、上記腹部保護部は横長略楕円形に形成されると共に、上記帯部は上記腹部保護部の長軸両端に一端部が連設され、上記支持帯部は、所定の幅寸法と長さ寸法を有すると共に、上記腹部保護部の一方面上において、長軸の下側円弧部の周縁部に沿って配設されていることから、請求項１の効果に加え、腹部の膨出箇所が下腹部に移動した場合であっても、上記支持帯部によって、下腹部の重量が下方から柔軟に支持されるため、より装着感に優れた妊婦帯を提供することができる。
【００１６】
また、請求項３記載の考案にあっては、上記支持帯部は長さ方向に伸縮自在であると共に、幅方向には伸縮しないことから、腹部の上部から中央部かけては締め付け強度が保たれて、且つ下腹部の膨出は、上記支持帯部が長さ方向に延伸することで柔軟に支持されるため、より装着感に優れた妊婦帯を提供することができる。
【００１７】
また、請求項４記載の考案にあっては、上記帯部の他方端には一対の面ファスナーが設けられていることから、上記妊婦帯を面ファスナーにより容易に着脱することができるため、より装着が容易であると共に、面ファスナーの貼り付け位置を変化させることによって、締め付け強度を容易に調整することが可能となるため、より装着感に優れた妊婦帯を提供することができる。
【考案を実施するための最良の形態】
【００１８】
以下、図面に基づき本考案の実施の形態について説明する。
図３に示すとおり、本実施例にかかる妊婦帯１０は、図４に示す電磁波を吸収しうる電磁波吸収繊維体２０から成る布体１１から形成され、妊婦１６の膨出した腹部１７を被覆しうる腹部保護部１２と、上記腹部保護部の両端１２ａ（図３には図示せず）、１２ｂに一端部１３a、１３aが連設され、他端部１３b、１３bは腰部１９において互いに接続されることで、上記腹部保護部１２を固定しうる一対の帯部１３、１３とを有し、上記腹部保護部１２には、膨出した下腹部１７ａを支持しうる、伸縮性を有する支持帯部１４が配設されている。
また、図１に示すとおり、上記腹部保護部１２は横長略楕円形に形成されると共に、上記帯部１３、１３は上記腹部保護部１２の長軸両端１２ａ、１２bに一端部１３ａ、１３ａが連設され、上記支持帯部１４は、所定の幅寸法と長さ寸法を有すると共に、上記腹部保護部１２の一方面１２c上において、長軸の下側円弧部の周縁部１２fに沿って配設されている
また、上記支持帯部１４は長さ方向に伸縮自在であると共に、幅方向には伸縮しないように形成されている。
また、上記帯部の他方端１３ｂ、１３ｂには一対の面ファスナー１５ａ、１５ｂが設けられている
【実施例１】
【００１９】
図１は本実施例にかかる妊婦帯１０の装着前の状態における正面図である。
図１に示すとおり、帯部１３、１３は、所定の幅寸法を有し、腹部保護部１２の長軸方向両端部１２ａ、１２ｂに、一端部１３ａ、１３ａが逢着によって連設されている。
また、帯部１３、１３の一方面１３ｃ、１３ｃは、面ファスナー１５ａ、１５ｂが貼り付け可能となるように、密集したループ状の細糸（図示せず）によって形成されている。
また、図２は本実施例にかかる妊婦帯１０の装着前の状態における背面図である。図２に示すとおり、面ファスナー１５ａ、１５ｂは、上記帯体１３、１３の他方面１３ｄ、１３ｄにおいて、上記帯体１３、１３の他方両端部１３ｂ、１３ｂに固定されている。
また、上記面ファスナー１５ａ、１５ｂは、密集したフック形状を有する細糸（図示せず）によって形成されている。
また、図１に示すように、支持帯部１４は、上記腹部保護部１２の一方面１２ｃにおいて、上記腹部保護部１２の長軸の下側円弧部の周縁部１２fに沿って逢着によって固定されている。
また、本実施例にかかる妊婦帯１０を構成する布体１１は、図４に示すように、極細径に形成された銅合金製の針金２３の周縁を銀合金で形成された極細径の筒体２２で被覆し、更に上記筒体２２の周縁を綿繊維２１で被覆することで形成された電磁波吸収繊維体２０によって形成されている。
【００２０】
上記構成の実施例における作用について以下詳述する。
図３に示すように、本実施例にかかる妊婦帯１０を装着する場合は、上記腹部保護部１２の一方面１２ｃを外側にして、長軸の上側円弧部の周縁部１２ｅと長軸の下側円弧部の周縁部１２ｆを膨出した腹部１７にあてがい、一対の帯部１３、１３を、腹側部１８を経由して腰部１９にかけて巻装する。
更に、腰部１９の近傍において、面ファスナー１５ａおよび１５ｂを、夫々相手側の帯部１３、１３一方面１３ｃに貼り付け、上記腹部保護部１２を固定する。
この場合、上記腹部保護部１２が略楕円形に形成されているため、幅方向中央部近傍は長さ方向に沿って外側に膨らみ、膨出した腹部に密着する。
また、胎児の成長に伴って、下腹部１７ａが下降した場合には、下腹部１７ａの膨出寸法に合わせて支持帯部１４が長さ方向に延伸し、下腹部１７ａの膨出を柔軟に支持する。
この場合、上記支持帯部１４が長さ方向にのみ延伸し、幅方向には延伸しないため、腹部１２の上部から中央部にかけては締め付け強度が保たれ、腹部保護部１２が下方にずれてしまうことがない。
また、装着後においては、図４に示すように電磁波防止用繊維体２０によって、電化製品等から発生する電磁波が吸収されるため、体内の胎児が電磁波にさらされることを防止する。
【００２１】
上記のように、本実施例にかかる妊婦帯１０は、図３に示すように上記面ファスナー１５ａ、１５ｂを帯部１３、１３の一方面１３ｃ、１３ｃの任意箇所に貼り付けるだけで装着が可能であることから、従来のさらし布の腹帯と比して、格段に装着作業が容易となる。
また、面ファスナー１５ａ、１５ｂの貼り付け位置を変化させることで、締め付け強度も容易に調整することができるという別途の効果をも奏する。
また、胎児の成長に伴って、腹部１７の膨出位置が下腹部１７ａに変化した場合であっても、支持帯部１４が長さ方向に延伸することで、膨出位置と膨出寸法の変化を吸収し、柔軟に下腹部１７ａを支持すると共に、腹部１２の上部から中央部にかけては締め付け強度が保たれ、腹部保護部１２が下方にずれることがないことから、装着感が非常に良好な妊婦帯を提供することができる。
また、体内の胎児が、電化製品等の電磁波から保護されることから、安心して家事や仕事を行うことが可能となる。
【００２２】
なお、支持帯部の長さ寸法及び幅寸法は、個人差に合わせて適宜変更しても、上記実施例と同様の作用効果を得ることが可能である。
また、面ファスナーの大きさも適宜変更が可能である。
【産業上の利用可能性】
【００２３】
本考案は、妊娠時に装着し、膨出した腹部を保護する妊婦帯に適用することが可能である。
【図面の簡単な説明】
【００２４】
【図１】本考案の妊婦帯の一実施の形態を示し、本実施の形態における妊婦帯の装着前の正面図である。
【図２】本考案の妊婦帯の一実施の形態を示し、本実施の形態における妊婦帯の装着前の背面図である。
【図３】本考案の妊婦帯の一実施の形態を示し、本実施の形態における妊婦帯を装着した場合の側面図である。
【図４】本考案の妊婦帯の一実施の形態を示し、本実施の形態における妊婦帯を形成する繊維体の内部構造を示す拡大斜視図である。
【符号の説明】
【００２５】
１０  妊婦帯
１１  布体
１２  腹部保護部
１２ａ腹部保護部の長軸方向端部
１２ｂ腹部保護部の長軸方向端部
１２ｃ腹部保護部の一方面
１２ｄ腹部保護部の他方面
１２ｅ腹部保護部の長軸の上側円弧部の周縁部
１２ｆ腹部保護部の長軸の下側円弧部の周縁部
１３  帯体
１３ａ帯体の一方端
１３ｂ帯体の他方端
１４  支持帯部
１５ａ面ファスナー
１５ｂ面ファスナー
１６  妊婦
１７  腹部
１７ａ下腹部
１８  腹側部
１９  腰部
２０  電磁波吸収用繊維体
２１  綿繊維
２２  銀合金の筒体
２３  銅合金の針金
【図１】
0003142197.tif 000003
【図２】
0003142197.tif 000004
【図３】
0003142197.tif 000005
【図４】
0003142197.tif 000006